(57)【要約】【課題】  効率の良いデータベースを構築し借用回線の検索を自動化することにより、人為的ミスを防止して、迅速かつ漏れのない検索を可能にする回線検索システムを提供すること。【解決手段】  通信種別ごとに設けられ、各回線とユーザ情報とを関連付けて保存する回線管理テーブル６３と、通信の基点局または中継局の局間の接続であるセクションごとに該セクションと、通信種別および基点局情報を含むパス情報とを関連付けて保存するセクション・パス対応テーブル６２と、入力されたセクション情報をもとに、セクション・パス対応テーブルを参照して、パス情報を抽出し、該パス情報に含まれている通信種別および基点局情報をもとに回線管理テーブルのパス情報に対応するユーザ情報を抽出する手段とを備える。【選択図】      図１
2006352675.tif 000002
【特許請求の範囲】
【請求項１】
通信種別ごとに設けられ、各回線とユーザ情報とを関連付けて保存する回線管理テーブルと、
通信の基点局または中継局の局間の接続であるセクションごとに該セクションと、通信種別および基点局情報を含むパス情報とを関連付けて保存するセクション・パス対応テーブルと、
入力されたセクション情報をもとに、前記セクション・パス対応テーブルを参照して、パス情報を抽出し、該パス情報に含まれている前記通信種別および前記基点局情報をもとに前記回線管理テーブルの前記パス情報に対応するユーザ情報を抽出する手段と、
を備えたことを特徴とする回線検索システム。
【請求項２】
前記ユーザ情報をもとにユーザへ回線借用依頼を送信する問合せ手段を備えたことを特徴とする請求項１記載の回線検索システム。
【請求項３】
前記問合せ手段による問合せの結果を保存すると共に、借用不可のユーザの回線については、前記パス情報の他のパスによる通信可否を判定して、通信可の場合は、該他のパスへ変更する代替回線変更手段を備えたことを特徴とする請求項２記載の回線検索システム。
【請求項４】
通信種別ごとに設けられ、通信の基点局または中継局の局間の接続であるセクションごとに該セクションと通信種別および基点局情報を含むパス情報とを関連付けて保存するセクション・パス対応テーブルを備えた管理サーバと、各回線とユーザ情報とを関連付けて保存する回線管理テーブルを備えた回線検索用サーバを用いて借用回線の検索を行う回線検索方法であって、
入力されたセクション情報をもとに、前記管理サーバにアクセスして前記セクション・パス対応テーブルを参照して、パス情報を抽出し、該パス情報に含まれている通信種別および基点局情報をもとに前記回線検索用サーバにアクセスして、当該サーバに保存されている前記回線管理テーブルの前記パス情報に対応するユーザ情報を抽出するステップと、
前記ユーザ情報をもとにユーザ端末へ回線借用依頼を送信するステップと、
前記依頼の結果を保存すると共に、借用不可のユーザの回線については、前記パス情報の他のパスによる通信可否を判定して、通信可の場合は該他のパスへ変更するステップと、を含むことを特徴とする回線検索方法。
【発明の詳細な説明】
【技術分野】
【０００１】
本発明は、通信回線の検索技術に係り、特に回線を保守または移転するときに影響のある回線を把握して代替回線への切り替えや停止時間の算定を効率よく行うことのできる回線検索システムに関する。
【背景技術】
【０００２】
従来、通信回線を道路工事などによる電柱の移設（これを支障移転という）等により、通信回線の切断が発生する場合、回線構成図などから影響のある回線を把握し、その回線名称をもとに事前にユーザから通信回線の停止許可（これを回線の借用という）を取得する必要があった。
【０００３】
ところで、回線構成図の作成をするにしても、その構成図を作成するための回線設計システムは、ＡＴＭ、ＩＳＤＮ、ＦＲ、ＶＬＡＮ、ＷＤＭなど通信システム（通信種別）ごとに異なっており、通常、複数の通信システムを経由してユーザに回線を提供している。
【０００４】
従来の回線検索の方法としては、切断されるパス、回線について、希望日時、理由等を記入した通信作業要求書が作業側から提出され、作業状況管理システムで作業の輻輳が無いことを確認して借用許否の決定を行っていた。
【０００５】
以下、図１０を用いて、従来の回線検索方法を説明する。
まず、個別作業要求工程では、工事担当箇所において通信作業要求書を発行する（Ｓ２０１）。その要求書には、作業内容、停止回線、停止日時等の情報が記載されている。次に、作業調整工程では、この要求書を回線運用チームが受け取り、回線管理システム（ＩＮＭＳ）に入力して、停止回線を検索して（Ｓ２０２）、借用条件を保存したユーザ情報システムと照合を行い（Ｓ２０３）、条件が合わない場合は、協議を行う。一方、条件がＯＫならば、作業状況管理システムへ入力して作業の輻輳の確認を行い（Ｓ２０４）、作業の輻輳がある場合は、協議を行う。一方、作業の輻輳が無い場合は、次に、借用調整工程として、回線借用願い、工事通報書を作成して、借用調整を行う（Ｓ２０５）。この調整で借用がＮＧの場合は、協議を行う。このとき、必要により、サービス調整チームや連係他事業者などの他の部署も含めて協議を行い、借用がＯＫとなれば、ＩＮＭＳに通信作業要求書の決定（借用決定）入力を行い（Ｓ２０６）、その決定を工事担当者および写しをオペレーションチームの統制指令員に送付する。
【０００６】
なお、作業調整工程で、ＶＬＡＮ、ＷＤＭなど多数の回線が含まれるものについては、作業担当者によりパス、セクション、回線など、中身の確認を行った上で、ＩＮＭＳにより作業側の要求が正しいか、漏れが無いか等の確認を行っていた。
【０００７】
上記の従来の方法では、回線名称などからユーザを判断していたため個人のスキルによるところが大きく、ミスが生じる可能性があった。また、ユーザと停止可能時間を調整するための手間がかかるという問題もあった。
【０００８】
これに対して、特許文献１には、通信網の専用回線のうちで空き回線を他の通信網に貸与したり、他の通信網の専用回線のうちで空き回線を借用するための管理技術が記載されている。具体的には、空き回線を使用するために要請する第１の使用要請信号を送信し、対応する空き回線の使用許否を示す第１の応答信号を送信する。そして、第１の応答信号が使用許可信号ならば、使用時間等を要請する第２の使用要請信号を送信し、対応する空き回線の使用許否を示す第２の応答信号を送信し、受信した第２の応答信号に応じて空き回線を使用するというものである。
【０００９】
しかしながら、特許文献１の技術は、回線工事を行う際の借用（停止許可）を目的としているものではないため、複数の通信システムに跨る借用先の管理については上記の問題が依然として残る。
【特許文献１】特開平６−７００２５号公報
【発明の開示】
【発明が解決しようとする課題】
【００１０】
このように従来の技術によれば、通信システムが複数になる場合、それぞれ独自に管理運営されているシステムの回線名称などからユーザを判断する必要があり、個人の能力に負うところが大きくユーザ名の間違えや借用回線の漏れなど人為的なミスが生ずる可能性があった。また、ユーザの停止可能時間については別システムで確認する必要あった。
【００１１】
本発明は上述の係る事情に鑑みてなされたものであり、効率の良いデータベースを構築し借用回線の検索を自動化することにより、人為的ミスを防止して、迅速かつ漏れのない検索を可能にする回線検索システムを提供することを目的とする。
【課題を解決するための手段】
【００１２】
上記課題を解決するため、本発明は、回線設計システムを統一し、回線名称等により判断していた借用取得先を別項目として追加し、かつ、停止可能時間等の項目を付加したデータ構造にした。
【００１３】
具体的には、本発明に係わる回線検索システムは、通信種別ごとに設けられ、各回線とユーザ情報とを関連付けて保存する回線管理テーブルと、通信の基点局または中継局の局間の接続であるセクションごとに該セクションと、通信種別および基点局情報を含むパス情報とを関連付けて保存するセクション・パス対応テーブルと、入力されたセクション情報をもとに、セクション・パス対応テーブルを参照して、パス情報を抽出し、該パス情報に含まれている通信種別および基点局情報をもとに回線管理テーブルのパス情報に対応するユーザ情報を抽出する手段と、を備えたことを特徴とする。
本発明では、ユーザへの借用依頼を自動的に実行することによって借用時の省力化を図る。
【００１４】
本発明に係わる回線検索システムでは、さらに、問合せ手段による問合せの結果を保存すると共に、借用不可のユーザの回線については、パス情報の他のパスによる通信可否を判定して、通信可の場合は、該他のパスへ変更する代替回線変更手段を備えたことを特徴とする。
本発明では、パスの分岐点を管理することによって、代替回線への変更を可能にする。
【００１５】
また、本発明に係わる回線検索方法は、通信種別ごとに設けられ、通信の基点局または中継局の局間の接続であるセクションごとに該セクションと通信種別および基点局情報を含むパス情報とを関連付けて保存するセクション・パス対応テーブルを備えた管理サーバと、各回線とユーザ情報とを関連付けて保存する回線管理テーブルを備えた回線検索用サーバを用いて借用回線の検索を行う回線検索方法であって、入力されたセクション情報をもとに、管理サーバにアクセスしてセクション・パス対応テーブルを参照して、パス情報を抽出し、該パス情報に含まれている通信種別および基点局情報をもとに回線検索用サーバにアクセスして、当該サーバに保存されている回線管理テーブルのパス情報に対応するユーザ情報を抽出するステップと、ユーザ情報をもとにユーザ端末へ回線借用依頼を送信するステップと、依頼の結果を保存すると共に、借用不可のユーザの回線については、パス情報の他のパスによる通信可否を判定して、通信可の場合は該他のパスへ変更するステップと、を含むことを特徴とする。
【００１６】
本発明では、セクション、パス情報を通信種別ごとのサーバで管理するようにして、パス情報に含まれている基点局などの情報をインデックスにして、回線検索用サーバの回線管理テーブル内の回線情報をサーチし、該当ユーザを抽出して借用依頼を行う。
【発明の効果】
【００１７】
本発明によれば、通信種別ごとに各回線とユーザ情報とを関連付けた回線管理テーブルと、通信の基点局または中継局（セクション）ごとに該セクションと通信種別および回線経路を含むパス情報とを関連付けたセクション・パス対応テーブルに分けて、回線情報を保存するようにしたので、データの管理が容易となり、また、人為的ミスを防止して迅速かつ漏れのない借用回線の検索が可能となる。
【発明を実施するための最良の形態】
【００１８】
以下、本発明の実施の形態を説明する。図１は、第１の実施の形態による回線検索システム１の機能ブロック図である。
この図において、回線検索システム１は、営業所等に設置される端末装置２０、および、ユーザの端末３０とインターネット等の通信ネットワーク４０を介して繋がっている。
【００１９】
また、回線検索システム１は、データを入力するキーボード、マウス等の入力部１３、データの表示や出力を行う表示部１４、通信ネットワーク４０を介して他の装置とデータの送受信を行う送受信部１１、データ処理を実行する中央演算処理部１２、および、データを保存する記憶部１５を有している。
【００２０】
さらに、中央演算処理部１２は、送受信部１１との間でデータの受け渡しを行う送受信処理手段（機能）４１、入力部１３や表示部１４との間でデータのやり取りを行う入出力処理手段（機能）４２、ユーザの名称や問合せ先などの情報を登録するユーザ情報登録手段（機能）４３、通信回線の構成等の情報を登録する回線情報登録手段（機能）４４、通信回線の構成から回線名称を自動生成する回線名称生成手段（機能）４５、セクション情報を登録するセクション情報登録手段（機能）４６、通信回線の借用依頼の受付を行う借用依頼受付手段（機能）４７、借用依頼時の入力情報からユーザ情報を抽出するユーザ情報抽出手段（機能）４８、ユーザへ借用可否の問合せを行う問合せ手段（機能）４９、借用依頼先へ問合せ結果を通知する問合結果通知手段（機能）５０を有している。
【００２１】
各手段４１〜５０は、ソフトウェアにより実行されるコンピュータの機能として実現できるものである。
【００２２】
また、記憶部１５には、ユーザ情報データベース（ＤＢ）６１、回線管理テーブル６３、通信種別ごとに設けられたセクション・パス対応テーブル６２を備えている。
【００２３】
なお、セクション・パス対応テーブル６２は、端末装置２０側に持たせるようにしてもよい。
【００２４】
<セクション、パスの説明>
次に、図２を用いて、通信回線をセクション情報とパス情報とで管理するやり方を説明する。
【００２５】
この図において、Ａ社の本店のＡＴＭ交換機（起）とＡ社の営業所４のＡＴＭ交換機（終）が通信回線を介して接続している。ここで、図２中の番号６を付した本店（局識別記号Ｚ０７）と営業所４（局識別記号Ｚ１６）は、ユーザに対して回線を提供する端局（起点と終点）であるため「基点局」といい、その他の局（局識別記号Ａ００，Ａ０１，Ｄ０１，・・・）は、「中継局」という。
【００２６】
図中セクション／パス一覧における番号１〜５はセクション情報を表し、番号６はパス情報を表している。このセクション、パスの関係付けを記憶することにより、どのようなセクションを経由して通信が行われているかを知ることができる。この番号は、回線画面における番号と対応しており、番号６は、２つの基点局の名称と、ユーザへ提供する通信種別（この例では、ＡＴＭ通信の識別記号ＶＣ−４Ｌ １）でパスを特定し、番号１〜５は、対向する２つの局の名称と通信種別で表されている。また、局一覧では、局識別記号と局名称との対応を表示している。
【００２７】
すなわち、ＡＴＭ交換機（起）に接続する局Ｚ０７は、通信システムＦ―６００Ｍによって、局Ａ００に繋がり、さらに局Ａ０１で、パスＳＷによって、局Ａ００（装置番号Ｓ２００３）と局Ａ１０（Ｆ１００２）に分岐される。そして、局Ａ００からは、セクション５によって、局Ｃ０１（Ａ２００６）と接続している。このセクション５は、Ｆ−２．４Ｇであることを表している。
【００２８】
この回線画面に表示されているような局間の接続関係は、セクション・パス対応テーブル６２に保存されている。
【００２９】
なお、セクション情報は、同一の通信種別（ＷＤＭ，ＦＲ，・・・等）を有する局間を一つのセクションとして捉えて管理するようにしてもよい。
【００３０】
このように、中継局間の接続をセクション情報で管理し、ユーザへ回線を提供する基点局間の接続をパス情報で管理する。
【００３１】
<回線情報登録>
ユーザの回線情報の管理のしかたを図３に示す管理画面を用いて説明する。
この図に示すように、ユーザ（顧客）に提供する回線ごとに回線番号と回線名称を付して保存するようにする。
【００３２】
回線情報の登録に先立ち、まず、ユーザ情報として、ユーザ名や故障時連絡先のほか、借用時連絡先として、担当部署名、担当者名、電話番号、メールアドレスなどの情報を入力する。このユーザ情報は、ユーザ情報登録手段４３を介して、ユーザ情報ＤＢ６１に保存される。なお、ユーザ情報の登録のしかたはこれに限定されるものではなく、予め別画面でユーザ名などのユーザ情報を登録しておいて、ユーザ名あるいはユーザ番号を指定入力することによって、その情報が表示されるようにしてもよい。なお、借用時連絡先については、同一ユーザであっても回線ごとに担当部門が異なる場合があることを想定して、図３に示すような回線ごとの管理画面で登録・変更できるようにしておくのが好ましい。
【００３３】
オペレータは、回線情報として回線ごとに基点局を指定する。図３の例では、２つの基点局として、Ａ社本店を起点として指定し、Ａ社営業所１を終点として指定している。このとき、局情報を保存するＤＢを別に設けておいて、このＤＢを参照して局の住所や電話番号を表示するようにしてもよい。オペレータは、さらに、開通日など必要な情報を登録する。
【００３４】
また、通信回線の情報として、ＦＲやＡＴＭなどユーザに提供する通信種別や通信速度などの情報も設定する。
【００３５】
<回線名称生成処理>
上記の基点局、通信種別、必要により通信速度などの情報を入力すると、回線名称生成手段４５が起動され、回線名称が作成され、回線管理テーブル６３に保存される。
【００３６】
図４は、回線管理テーブル６３のデータ構成の説明図である。この図において、回線番号ごとに回線名称、借用時連絡先、ユーザ番号などの情報が関連付けられて保存されている。
【００３７】
ユーザ番号は、ユーザ情報ＤＢ６１のユーザ番号と対応しており、これをインデックスとして、ユーザ情報を抽出することができる。
【００３８】
そして、回線情報として、ユーザへ提供する通信種別や起点と終点の局（事業所）、住所等の情報入力する。
【００３９】
回線管理テーブル６３には、回線名称を構成する起点名、終点名、通信種別、その他、通信速度などの回線を識別するために有効な情報が保存されている。
【００４０】
<セクション・パス情報の設定処理>
各中継局の対向ごとに、セクション情報、パス情報の設定が行われる。この設定は、各局に設置された端末装置２０を介して、借用回線検索システム１にアクセスして行われる。
【００４１】
端末装置２０を介して入力された設定情報は、通信ネットワーク４０を経由して、借用回線検索システム１の送受信部１１で受信され、セクション情報登録手段４６によって、セクション・パス対応テーブル６２に書き込まれる。
【００４２】
次に、図５を用いて、セクション情報、パス情報の登録のしかたを説明する。図５は、Ａ局とＢ局間のＷＤＭ通信のセクション・パス対応テーブルの構成例である。
【００４３】
たとえば、ＣＨ５は、セクションとして、Ａ局、Ｓ局間にＦ―２．４Ｇ  ＳＹＳ２の回線が収容されていることを表している。また、この通信回線には、パス情報として基点局Ａ社のＨ局−Ａ局支店のＡＴＭ通信（ＶＣ−４Ｌ  １）、Ｓ局−Ａ局間のＡＴＭ通信（ＶＣ−３２Ｌ  ７〜１２）など４種類のパスが、多重化されて収容されていること表している。
【００４４】
なお、収容パスは、借用回線検索システム１で予め保存されている回線名称から選択するようにしてもよい。この場合、選択した回線名称に付加して現場サイドで必要な情報を入力できるようにするのが好ましい。
【００４５】
このようにすることによって、セクションを管理する部門が独自に情報を管理しつつ、
工事の際には、パス名称から借用回線検索システム１によって、借用先の情報を抽出することができる。
【００４６】
<回線借用処理>
上述のテーブル構成６２、６３において、ある通信設備の移転あるいは保守工事等によってユーザの回線が停止する場合の借用依頼受付手段４７の処理について図６のフローチャートを用いて説明する。
【００４７】
たとえば、図７中、点線×印で示したＡ局―Ｂ局間のＷＤＭ通信設備が移転によって停止するとする。このとき、図５に示すセクション・パス対応テーブル６２にアクセスして（Ｓ００１）、この局間のＣＨ１〜９の収容セクション情報をもとにそのセクションに対応するパス情報を抽出する（Ｓ００２）。そして、端末装置２０の画面上でそのパス情報を入力する。このパス情報は、起点、終点、通信種別等を有するパス名であるが、同一のパスが複数存在する場合は、たとえば通信速度別にユニークになるように管理されているものである。
【００４８】
次に、このパス名から起点名、終点名、通信種別、通信速度を抽出し（Ｓ００３）、回線管理テーブル６３を参照して、借用時の連絡先を抽出する（Ｓ００４）。
【００４９】
そして、この抽出した借用先に借用可否の問合せを実施して（Ｓ００５）、所定期間の後（Ｓ００６）、回答があった場合は、その回答を保存する（Ｓ００８）。その回答が「許可」である場合は（Ｓ００９で「ＹＥＳ」）、そのセクションに対応するパスが他にも存在するか否かを判定して、他にも存在する場合は、そのパスについても同様にステップＳ００３以降の処理を繰り返す（Ｓ０１０）。抽出したセクションに対応する全パスについて、借用の問合せを完了した場合は（ステップＳ０１０で「ＹＥＳ」）、ステップＳ００２へ戻って、全収容セクションについて同様の処理を繰り返す（Ｓ０１１）。
【００５０】
一方、ステップＳ００７で回答が無い場合は、ステップＳ００９で問合せ結果が「許可」でない場合は、他の時期で問合せを行うか否かを判定して（Ｓ０１３）、「ＹＥＳ」の場合は、その時期を指定して、再度問合せを実施する（Ｓ０１４）。
【００５１】
以上、借用依頼処理による問合せの結果は、回線管理テーブル６３のユーザごとに保存され、たとえば、図３の画面の備考欄に表示して、確認を行う。
【００５２】
なお、上記のステップＳ００５の処理で、借用可否の問合せは、担当者が電話等で確認を行ってもよいが、システムにより自動で行う場合は、回線管理テーブル６３の該当するユーザ欄に問合せ状態を示すコードまたはフラグを設け、問合せ手段４９によって、ユーザの端末３０へメール等で借用依頼を送信する。同時に、問合せ状態を「問合せ中」に変換する。
【００５３】
そして、ユーザ端末３０から借用許可の返信があると問合せ状態を「借用許可」にセットする。なお、このとき、ユーザが借用可能期間を設定できるようにしてもよい。あるいは、ユーザが問合せのあった借用期間の全期間については借用を許可することは出来ないが、一部の期間については可能な場合は、その期間を設定して借用可とするようにしてもよい。
【００５４】
全ての対象ユーザからの回答を取得するか、借用可否の問合せをしたのち所定期間を経過した場合には、問合結果通知手段５０によって、借用依頼元の端末装置２０へ当該結果を送信する。
【００５５】
以上、本実施の形態によれば、通信種別ごとにセクション情報とパス情報を有するテーブル６２を設けると共にパス情報もしくは回線情報と借用先ユーザ情報を有するテーブル６３を別個に設け、移転工事等に伴って停止するセクションをもとにパス情報をインデックスとしてユーザを特定するようにしたので、回線借用の許可取得を円滑に行うことができる。
【００５６】
次に、第２の実施の形態について、第１の実施の形態との際を中心に説明する。
本実施の形態の構成を図８に示す。図１との主な違いは、通信種別ごとに管理サーバ７０を設け、借用回線検索システム１との間をＬＡＮ８０で接続した。また、管理サーバ７０側でセクション・パス対応テーブル６２を保存するにようにし、借用回線検索システム１の機能として、中央演算処理部に代替回線検索手段５１を設けたことである。なお、管理サーバ７０でセクション・パス情報を管理するようにしたので、図１のセクション情報登録手段４６は、各管理サーバ７０の機能となる。
【００５７】
上述の構成において、通信回線の停止が生じる場合は、通信種別ごとの管理サーバ７０で、セクション・パス対応テーブル６２を参照して、そのパス情報をもとに、借用回線検索システム１に借用依頼をする。
【００５８】
借用回線検索システム１では、借用依頼受付手段４７によって、その依頼情報を受信すると、ユーザ情報抽出手段４８によってパス情報中の基点名、通信種別等をインデックスとして借用連絡先を抽出し、以降は第１の実施の形態と同様の処理によって、問合せ処理を実行する。
この問合せ処理の結果、借用の許可が得られなかった場合は、代替回線検索手段５１を起動する。
【００５９】
以下、図９を用いて代替回線検索手段５１の処理を説明する。
代替回線検索手段５１は、起動されると、回線管理テーブル６３をサーチして、起点、終点、末端の通信種別が一致し、通信速度がユーザの使用回線よりも速い空き回線が存在するか否かを判定し（Ｓ１０２）、存在する場合は、回線管理テーブル６３にその代替回線名を書き込む（Ｓ１０３）。なお、ステップＳ１０２で、空き回線の候補を検出した場合は、その回線が借用対象となっていないことを確認する必要がある。このためには、借用対象となっている場合など、セクションのステータスを回線管理テーブル６３に随時書き込むようにしておくのがよい。
【００６０】
一方、ステップＳ１０２で条件を満たす空き回線を検出できなかった場合は、回線管理テーブル６３の当該ユーザの回線欄に「代替回線なし」と出力する（Ｓ１０４）。
【００６１】
また、空き回線の管理サーバ７０側では、当該空き回線に仮使用中フラグを設定する。これと同時に、回線管理テーブル６３には、仮使用ありフラグを設定すると共に借用可コードを設定する。そして、移転対象の通信設備の全てのパスに関連付けられた回線の全ユーザの借用可コードが設定されると、問合せ結果通知手段５０を通して、依頼元の管理サーバ７０側に工事許可の出力を行う。
【００６２】
本実施の形態によれば、借用不能回線及び期間について他のパスによる空き回線の割付を行うようにしたので、必要最小限の割付変更で借用調整が可能となる。
【００６３】
本発明は、上述の実施の形態に限定されること無く、種々変形して実施することができる。たとえば、図８のＬＡＮ８０の代わりに、インターネット等によって広域で実施するようにしてもよい。
【００６４】
また、代替回線検索手段５１は、問合せ後、許可が得られなかった場合に実行するのではなく、問合せ手段４９を実行する前に起動して、代替回線が存在しなかった場合に問合せを実行するようにしてもよい。
【産業上の利用可能性】
【００６５】
上記の技術は、通信設備の保守作業等に利用することができる。
【図面の簡単な説明】
【００６６】
【図１】本発明の第１の実施の形態による借用回線検索システム、および、これに繋がる端末装置、ユーザ端末の機能ブロック図である。
【図２】本発明の実施の形態による局間の接続状態とセクション、パスの概念の説明図である。
【図３】図１のユーザ情報登録手段および回線情報登録手段の表示画面例である。
【図４】図１の回線管理テーブルのデータ構成例の説明図である。
【図５】図１のセクション・パス対応テーブルのデータ構成例の説明図である。
【図６】図１の借用依頼手段、および、これに関連する手段の処理手順を示すフローチャートである。
【図７】本発明の第１の実施の形態による回線借用時の動作を説明するための回線画面表示例である。
【図８】本発明の第２の実施の形態による借用回線検索システム、および、これに繋がる管理サーバ、ユーザ端末の機能ブロック図である。
【図９】図８の代替回線検索手段の処理手順を示すフローチャートである。
【図１０】従来技術における回線借用時の手順の説明図である。
【符号の説明】
【００６７】
１  借用回線検索システム
１１、２１、３１、７１  送受信部
１２、２２、３２、７２  中央演算処理部
１３、２３、３３、７３  入力部
１４、２４、３４、７４  表示部
１５  記憶部
２０  端末装置
３０  ユーザ端末
４０  通信ネットワーク
４１  送受信処理手段
４２  入出力処理手段
４３  ユーザ情報登録手段
４４  回線情報登録手段
４５  回線名称生成手段
４６  セクション情報登録手段
４７  着用依頼受付手段
４８  ユーザ情報抽出手段
４９  問合せ手段
５０  問合結果通知手段
５１  代替回線検索手段
６１  ユーザ情報ＤＢ
６２  セクション・バス対応テーブル
６３  回線管理テーブル
７０  通信種別管理サーバ
８０  ＬＡＮ
【図１】
2006352675.tif 000003
【図２】
2006352675.tif 000004
【図３】
2006352675.tif 000005
【図４】
2006352675.tif 000006
【図５】
2006352675.tif 000007
【図６】
2006352675.tif 000008
【図７】
2006352675.tif 000009
【図８】
2006352675.tif 000010
【図９】
2006352675.tif 000011
【図１０】
2006352675.tif 000012